(57)【要約】【課題】  従来の課題は、愛犬を失った飼い主の深い嘆き、悲しみや喪失感を埋め、慰め、癒すものとして、思い出の生前写真やビデオ(共に二次元の平面)ぐらいしか無かった点にある。【解決手段】  本発明は、写真やビデオ(二次元の平面)より以上に愛犬の実態に近い犬型人形(姿と色彩を備えた三次元の立体)（メモリアルドッグ）であり、その上、該メモリアルドッグを愛犬の遺骸と一緒に火葬して謂わば愛犬の魂をそれに移入した後に、骨灰の中に残ったメモリアルドッグを持ち帰って身辺に置くことができるようにしたものであるため、飼い主をして愛犬の魂や思い出が移入し、恰も愛犬が「復活」したかのように想わせ、飼主の深い嘆き、悲しみや喪失感を埋め、慰め、癒すことによって課題を解決した。【選択図】  図１
2006068029.tif 000002
【特許請求の範囲】
【請求項１】
死亡した愛犬を火葬して弔う際に、その愛犬に似た形状色彩のセラミックス製の犬型人形（メモリアルドッグ）を遺骸と共に火葬したのち、骨灰の中から該メモリアルドッグを取り出し持ち帰って、以後、愛犬の魂、思い出等を移入したメモリアルとして仏壇若しくは身辺に置いて、愛犬を偲ぶことができるようにしたことを特徴とする、
メモリアルドッグ。
【請求項２】
死亡した愛犬を火葬して弔う際に、その愛犬に似た形状色彩のセラミックス製の犬型人形を遺骸と共に火葬したのち、骨灰の中から該メモリアルドッグを取り出し持ち帰って、以後、愛犬の魂、思い出等を移入したメモリアルとして仏壇若しくは身辺に置いて、愛犬を偲ぶことができるようにしたものであり、
また、該メモリアルドッグは火葬前はその外周面を塗装等で被覆し、若しくは布、紙等で包むなどして、その姿若しくは色彩等を覆い隠しておき、火葬後に被覆が高熱で消失し、或いは包布、紙等が焼失して、骨灰の中から生前の愛犬に似た形状色彩のメモリアルドッグが忽然として現れるようにして、飼い主をして恰も愛犬が復活したかと想わせ、飼い主の深い嘆き、悲しみや喪失感を埋め、慰め、癒すようにしたことを特徴とする、
メモリアルドッグ。
【請求項３】
火葬すると、その高熱で消失して、姿と色彩を備えたメモリアルドッグが忽然として現れるように、メモリアルドッグを火葬の高熱で消失する素材の塗装等で被覆するなど、白色等の不透明な素材で被覆したことを特徴とする、
請求項２記載のメモリアルドッグ。
【請求項４】
火葬すると、その高熱で消失して、姿と色彩を備えたメモリアルドッグが忽然として現れるように、メモリアルドッグを火葬の高熱で焼失する白色等の紙、布等で被覆したことを特徴とする、
請求項２記載のメモリアルドッグ。
【請求項５】
犬の他、猫その他のペット（愛玩動物）を対象とするものである、
請求項１及び２記載のメモリアルドッグ。
【発明の詳細な説明】
【技術分野】
【０００１】
本発明は、死亡した愛犬を火葬して弔う際に、その愛犬に似た形状色彩のセラミックス製の犬型人形（以下、メモリアルドッグと記す。）を遺骸と共に火葬したのち、骨灰の中から該メモリアルドッグを取り出し持ち帰って、以後、愛犬の魂、思い出等を移入したメモリアルとして仏壇若しくは身辺に置いて、愛犬を偲ぶことができるようにしたメモリアルドッグに係るものであり、愛犬の他に、愛猫その他のペット（愛玩動物）も対象とするものである。
【背景技術】
【０００２】
近時は、ペット、主として愛犬を家族、子供と同様に考えて共に暮らし、慈しんでいる人が多く、よって、その愛犬が死亡した時の嘆き悲しみと喪失感は著しいものがあり（所謂、ペットロス症候群）、よって、死骸の処分を保健所等に任せるに忍びず、人間と同様に丁重に火葬して弔うことが広く行われつつある。
【０００３】
本発明は、そのような時流の要望に答えて、少しでも愛犬を失った飼い主の気持ちを慰め、癒すべく、火葬後に飼い主のもとにその愛犬に似た本発明メモリアルドッグが残るようにし、しかもそのメモリアルドッグ(三次元の立体)は愛犬と一緒に火葬した後に、魂と思い出を移入したものとして、若しくは愛犬が恰も復活したものとして、愛犬の代わりに飼い主のもとに置けるようにして、少しでも飼い主の気持ちを慰め、癒すことを目的とするものである。
【発明の開示】
【発明が解決しようとする課題】
【０００４】
従来の課題は、愛犬を失った飼い主の深い嘆き、悲しみや喪失感を埋め、慰め、癒すものとして、思い出の生前写真やビデオ(共に二次元の平面)ぐらいしか無かった点にある。
本発明は、写真やビデオ(二次元の平面)より以上に愛犬の実態に近い犬型人形(姿と色彩を備えた三次元の立体)（メモリアルドッグ）であり、その上、該メモリアルドッグを愛犬の遺骸と一緒に火葬して謂わば愛犬の魂をそれに移入した後に、骨灰の中に残ったメモリアルドッグを持ち帰って身辺に置くことができるようにしたものであるため、飼い主をして愛犬の魂や思い出が移入し、恰も愛犬が「復活」したかのように想わせ、飼主の深い嘆き、悲しみや喪失感を埋め、慰め、癒すことにより課題を解決した。
【課題を解決するための手段】
【０００５】
本発明は、死亡した愛犬を火葬して弔う際に、その愛犬に似た形状色彩のセラミックス製の犬型人形（メモリアルドッグ）を遺骸と共に火葬したのち、骨灰の中から該メモリアルドッグを取り出し持ち帰って、以後、愛犬の魂、思い出等を移入したメモリアルとして仏壇若しくは身辺に置いて、愛犬を偲ぶことができるようにしたことを特徴とする、メモリアルドッグによって課題を解決したものである。
【０００６】
また、本発明は、死亡した愛犬を火葬して弔う際に、その愛犬に似た形状色彩のセラミックス製の犬型人形を遺骸と共に火葬したのち、骨灰の中から該メモリアルドッグを取り出し持ち帰って、以後、愛犬の魂、思い出等を移入したメモリアルとして仏壇若しくは身辺に置いて、愛犬を偲ぶことができるようにしたものであり、
【０００７】
また、該メモリアルドッグは火葬前はその外周面を塗装等で被覆し、若しくは布、紙等で包むなどして、その姿若しくは色彩等を覆い隠しておき、火葬後に被覆が高熱で消失し、或いは包布、紙等が焼失して、骨灰の中から生前の愛犬に似た形状色彩のメモリアルドッグが忽然として現れるようにして、飼い主をして恰も愛犬が復活したかと想わせ、飼い主の深い嘆き、悲しみや喪失感を埋め、慰め、癒すようにしたことを特徴とする、メモリアルドッグによって課題を解決したものである。
【発明の効果】
【０００８】
本発明は、愛犬に似た形状色彩のセラミックス製の犬型人形を遺骸と共に火葬したのち、骨灰の中から該メモリアルドッグを取り出し持ち帰って、以後、愛犬の魂、思い出等を移入したメモリアルとして仏壇若しくは身辺に置いて、愛犬を偲ぶことができる多大の効果がある。
【０００９】
また、該メモリアルドッグは火葬前はその姿若しくは色彩等を覆い隠しておき、火葬後に骨灰の中から生前の愛犬に似た形状色彩のメモリアルドッグが忽然として現れるようにして、飼い主をして恰も愛犬が復活したかと想わせ、もって、飼い主の深い嘆き、悲しみや喪失感を埋め、慰め、癒すことができる従来に無い優れた特徴がある。
【発明を実施するための最良の形態】
【００１０】
愛犬に似た形状色彩のセラミックス製の犬型人形(メモリアルドッグ)を遺骸と共に火葬したのち、骨灰の中から該メモリアルドッグを取り出し持ち帰るようにすると共に、該メモリアルドッグは火葬前はその外周面を塗装等で被覆し、若しくは布、紙等で包むなどして、その姿、色彩等を覆い隠しておき、火葬後に被覆が高熱で消失し、或いは包布紙が焼失して、骨灰の中から生前の愛犬に似た形状色彩のメモリアルドッグが現れるように備える。
【実施例】
【００１１】
図１は実施例メモリアルドッグの斜視図、図２は図１の実施例メモリアルドッグの火葬前の斜視図である。
以下、図によって、本発明装置の実施例を説明する。
【００１２】
死亡した愛犬を火葬して弔う際に、その愛犬に似た形状色彩のセラミックス製の犬型人形1を遺骸と共に火葬したのち、骨灰の中から該メモリアルドッグ1を取り出し持ち帰って、以後、愛犬の魂、思い出等を移入したメモリアルとして仏壇若しくは身辺に置いて、愛犬を偲ぶことができるようにしたものであり、
【００１３】
該メモリアルドッグ1は火葬前はその外周面を塗装等で被覆２し、若しくは布、紙等３で包むなどして、その姿若しくは色彩等を覆い隠しておき、火葬後に被覆２が高熱で消失し、或いは包布、紙等３が焼失して、骨灰の中から生前の愛犬に似た形状色彩のメモリアルドッグ１が忽然として現れるようにして、飼い主をして恰も愛犬が復活したかと想わせ、飼い主の深い嘆き、悲しみや喪失感を埋め、慰め、癒すようにした、メモリアルドッグ１である。
【００１４】
セラミックス製の犬型人形1は、例えば、火葬すると、その高熱で消失して、姿と色彩を備えたメモリアルドッグが忽然として現れるように、メモリアルドッグを火葬の高熱で消失する素材の塗装等で被覆して備える。
【００１５】
また、例えば、セラミックス製の犬型人形1は、火葬すると、その高熱で消失して、姿と色彩を備えたメモリアルドッグが忽然として現れるように、メモリアルドッグを火葬の高熱で焼失する白色等の紙、布等で被覆して備える。
【産業上の利用可能性】
【００１６】
本発明は、愛犬を対象としたメモリアルドッグを主としているが、当然、犬の他の種々の愛玩動物（メモリアルペット、猫＝メモリアルキャット）も対象とするものであり、それらも本発明の権利範囲に包含するものである。
【図面の簡単な説明】
【００１７】
【図１】実施例メモリアルドッグの斜視図である。
【図２】図１の実施例メモリアルドッグの火葬前の斜視図である。
【符号の説明】
【００１８】
１    セラミックス製の犬型人形(メモリアルドッグ)
２    塗装等の被覆
３    包布、紙等
【図１】
2006068029.tif 000003
【図２】
2006068029.tif 000004